【手続補正書】
【提出日】平成27年1月7日(2015.1.7)
【手続補正１】
【補正対象書類名】特許請求の範囲
【補正対象項目名】全文
【補正方法】変更
【補正の内容】
【特許請求の範囲】
【請求項１】
ベース画像上のクロマキー色の領域にオーバーレイ画像を重ね合わせて合成画像として出力する画像合成装置であって、
前記オーバーレイ画像を表示する領域の位置およびサイズを記憶する記憶手段と、
前記記憶手段の情報に従って、前記オーバーレイ画像の位置およびサイズを変更する画像位置・サイズ変更手段と、
前記ベース画像の有無の判定を行うベース画像有無判定手段と、
前記ベース画像のクロマキー色部分の判定を行うクロマキー判定手段と、
を備え、
前記ベース画像有無判定手段によりベース画像有りと判定され、かつ、前記クロマキー判定手段により、クロマキー色部分であると判定された場合は、前記画像位置・サイズ変更手段により位置およびサイズが変更された前記オーバーレイ画像を出力し、
前記ベース画像有無判定手段によりベース画像有りと判定され、かつ、前記クロマキー判定手段により、クロマキー色部分でないと判定された場合は、前記ベース画像を出力し、
前記ベース画像有無判定手段により、ベース画像無しと判定された場合は、前記画像位置・サイズ変更手段により位置およびサイズが変更された前記オーバーレイ画像を出力することを特徴とする、
画像合成装置。
【請求項２】
前記ベース画像有無判定手段により、ベース画像無しと判定された場合は、前記ベース画像の信号から取得していた映像同期信号に代えて、予め用意された映像同期信号を使用して前記オーバーレイ画像を出力することを特徴とする、
請求項１に記載の画像合成装置。
【請求項３】
前記ベース画像有無判定手段により、ベース画像無しと判定された場合は、予め保存されている画像を前記ベース画像に代えて出力することを特徴とする、
請求項１または２に記載の画像合成装置。
【手続補正２】
【補正対象書類名】明細書
【補正対象項目名】００１４
【補正方法】変更
【補正の内容】
【００１４】
本発明に係る画像合成装置は、ベース画像上のクロマキー色の領域にオーバーレイ画像を重ね合わせて合成画像として出力する画像合成装置であって、オーバーレイ画像を表示する領域の位置およびサイズを記憶する記憶手段と、記憶手段の情報に従って、オーバーレイ画像の位置およびサイズを変更する画像位置・サイズ変更手段と、ベース画像の有無の判定を行うベース画像有無判定手段と、ベース画像のクロマキー色部分の判定を行うクロマキー判定手段とを備え、ベース画像有無判定手段によりベース画像ありと判定され、かつ、前記クロマキー判定手段によりクロマキー色部分であると判定された場合は、画像位置・サイズ変更手段により位置およびサイズが変更された前記オーバーレイ画像を出力し、ベース画像有無判定手段によりベース画像ありと判定され、かつ、クロマキー判定手段により、クロマキー色部分でないと判定された場合は、ベース画像を出力し、ベース画像有無判定手段により、ベース画像なしと判定された場合は、画像位置・サイズ変更手段により位置およびサイズが変更されたオーバーレイ画像を出力することを特徴とする。
【手続補正３】
【補正対象書類名】明細書
【補正対象項目名】００１５
【補正方法】変更
【補正の内容】
【００１５】
本発明に係る画像合成装置は、ベース画像有無判定手段によりベース画像なしと判定された場合であっても、画像位置・サイズ変更手段により位置およびサイズが変更されたオーバーレイ画像を出力することを特徴とするため、機器の故障等で、ベース画像信号が無信号となった場合でも、継続してオーバーレイ画像の出力を行うことが可能である。
【手続補正４】
【補正対象書類名】明細書
【補正対象項目名】００１８
【補正方法】変更
【補正の内容】
【００１８】
クロマキー色の領域は、例えば、第１のウインドウ領域８と第２のウインドウ領域９から構成され、第１のウインドウ領域８には、第１のオーバーレイ画像入力端子２ａから入力される第１のオーバーレイ画像（図２（ｂ））が所定のサイズに拡大縮小して重ねられ、第２のウインドウ領域９には、第２のオーバーレイ画像入力端子３ａから入力される第２のオーバーレイ画像（図２（ｃ））が所定のサイズに拡大縮小して重ねられて、合成画像（図２（ｄ））となる。合成画像の出力先は、例えば、ＰＣのディスプレイなどの表示装置（図示せず）である。
【手続補正５】
【補正対象書類名】明細書
【補正対象項目名】００２９
【補正方法】変更
【補正の内容】
【００２９】
遅延回路１２は、ベース画像信号を一定時間遅延させてから、ベース画像出力端子１ｂへ出力する。この遅延は、クロマキー判定回路４における信号の遅延およびセレクタ制御回路５における信号の遅延を考慮したものである。この遅延を行うことで、セレクタ回路６において、適切なタイミングでベース画像出力端子１ｂの選択・非選択の切り替えを行うことができる。
【手続補正６】
【補正対象書類名】明細書
【補正対象項目名】００３２
【補正方法】変更
【補正の内容】
【００３２】
同期信号セレクタ回路１５は、ベース画像無し信号１ｃに基づいて、第１の映像同期信号１３ａもしくは第２の映像同期信号１４ａを選択する。即ちベース画像無し信号１ｃがベース画像有りを示す場合は、第１の映像同期信号１３ａを選択し、一方ベース画像無し信号１ｃがベース画像無しを示す場合は、第２の映像同期信号１４ａを選択して、映像同期信号１ｄとして第１のオーバーレイ処理回路２、第２のオーバーレイ処理回路３およびセレクタ制御回路５へ出力する。
【手続補正７】
【補正対象書類名】明細書
【補正対象項目名】００４０
【補正方法】変更
【補正の内容】
【００４０】
クロマキー信号４ａがクロマキー色の部分を示す場合、映像同期信号１ｄを基準として決まる領域が、２つのウインドウが重なる領域、即ち第１のウインドウ領域８と第２のウインドウ領域９が重なる領域である場合には、ウインドウ優先順位レジスタ５２を参照して、セレクタ回路６が、優先順位の高い方のオーバーレイ画像のオーバーレイ画像出力端子を選択するように、セレクタ切替信号５ａを出力する。また、映像同期信号１ｄを基準として決まる領域が、第１のウインドウ領域８であって、２つのウインドウが重なる領域でない場合には、セレクタ回路６が第１のオーバーレイ画像出力端子２ｂを選択するように、セレクタ切替信号５ａを出力する。また、映像同期信号１ｄを基準として決まる領域が、第２のウインドウ領域９であって、２つのウインドウが重なる領域でない場合には、セレクタ回路６が第２のオーバーレイ画像出力端子３ｂを選択するように、セレクタ切替信号５ａを出力する。
【手続補正８】
【補正対象書類名】明細書
【補正対象項目名】００４８
【補正方法】変更
【補正の内容】
【００４８】
以上で述べたようにセレクタ回路６を制御して、合成画像出力端子６ａから合成画像信号を出力する。ベース画像信号が無信号の場合の合成画像の一例を図２（ｅ）に示す。本実施の形態においては、ベース画像信号が無信号となった場合には、予め用意された背景画像７ａが、ベース画像７の代わりとして遅延回路１２からベース画像出力端子１ｂに出力される。従って、図２（ｅ）のように、ベース画像７が無い場合でも、オーバーレイ画像の背景に背景画像７ａが表示される。
【手続補正９】
【補正対象書類名】明細書
【補正対象項目名】００５１
【補正方法】変更
【補正の内容】
【００５１】
＜効果＞
本実施の形態における画像合成装置は、ベース画像７上のクロマキー色の領域にオーバーレイ画像を重ね合わせて合成画像として出力する画像合成装置であって、オーバーレイ画像を表示する領域の位置およびサイズを記憶する記憶手段と、記憶手段の情報に従って、オーバーレイ画像の位置およびサイズを変更する画像位置・サイズ変更手段と、ベース画像７の有無の判定を行うベース画像有無判定手段と、ベース画像７のクロマキー色部分の判定を行うクロマキー判定手段とを備え、ベース画像有無判定手段によりベース画像ありと判定され、かつ、クロマキー判定手段により、クロマキー色部分であると判定された場合は、画像位置・サイズ変更手段により位置およびサイズが変更されたオーバーレイ画像を出力し、ベース画像有無判定手段によりベース画像ありと判定され、かつ、クロマキー判定手段により、クロマキー色部分でないと判定された場合は、ベース画像７を出力し、ベース画像有無判定手段により、ベース画像なしと判定された場合は、画像位置・サイズ変更手段により位置およびサイズが変更されたオーバーレイ画像を出力することを特徴とする。
【手続補正１０】
【補正対象書類名】明細書
【補正対象項目名】００５２
【補正方法】変更
【補正の内容】
【００５２】
従って、ベース画像有無判定手段によりベース画像無しと判定された場合でも、画像位置・サイズ変更手段により位置およびサイズが変更されたオーバーレイ画像を出力するため、機器の故障等で、ベース画像信号が無信号となった場合でも、継続してオーバーレイ画像の出力を行うことが可能である。
【手続補正１１】
【補正対象書類名】明細書
【補正対象項目名】００５３
【補正方法】変更
【補正の内容】
【００５３】
また、本実施の形態における画像合成装置は、ベース画像有無判定手段により、ベース画像なしと判定された場合は、ベース画像の信号から取得していた第１の映像同期信号１３ａに代えて、予め用意された第２の映像同期信号１４ａを使用して、オーバーレイ画像を出力することを特徴とする。
【手続補正１２】
【補正対象書類名】明細書
【補正対象項目名】００５５
【補正方法】変更
【補正の内容】
【００５５】
また、本実施の形態における画像合成装置は、ベース画像有無判定手段としてのベース画像無し検出回路１１により、ベース画像なしと判定された場合は、予め保存されている画像を背景画像７ａとして、ベース画像に代えて出力することを特徴とする。